(57)【要約】      （修正有）【課題】家庭のごみ、廃棄物、汚泥、残土などの廃材をコンテナに収容して搬送する廃材搬送用コンテナであって、軽量で、強度を高められて、収容する廃材がスムーズに流れて内面部材の損傷を減少させるとともに、廃材をスムーズに排出して廃材が付着して腐食しないようにする。【解決手段】コンテナの底面の底板４に耐摩耗、高張力のスエーデン鋼の鋼板を使用し、このコンテナの底面の底板６の両側に一般構造用圧延鋼材や溶接構造用圧延鋼材を含む鋼材で１００〜３００ｍｍの曲率半径の曲面形状のコーナー部５を一体的に形成した側板６をそれぞれ接合してコンテナを形成している。【選択図】図４
2014043314.tif 000002
【特許請求の範囲】
【請求項１】
家庭のごみ、廃棄物、汚泥、残土などの廃材をコンテナに収容して搬送する廃材搬送用コンテナであって、
コンテナの底面の底板に耐摩耗、高張力のスエーデン鋼の鋼板を使用し、このコンテナの底面の底板の両側に一般構造用圧延鋼材や溶接構造用圧延鋼材を含む鋼材で１００〜３００ｍｍの曲率半径の曲面形状のコーナー部を一体的に形成した側板をそれぞれ接合してコンテナを形成したことを特徴とする廃材搬送用コンテナ。
【請求項２】
家庭のごみ、廃棄物、汚泥、残土などの廃材をコンテナに収容して搬送する廃材搬送用コンテナであって、
コンテナの底面部の底板の両側に１００〜３００ｍｍの曲率半径の曲面形状のコーナー部を耐摩耗、高張力のスエーデン鋼の鋼板で一体的に設けたものとし、このコンテナの底面部の両側部に一般構造用圧延鋼材や溶接構造用圧延鋼材を含む鋼材で形成した側板をそれぞれ接合してコンテナを形成したことを特徴とする廃材搬送用コンテナ。
【請求項３】
コンテナの底面の底板の耐摩耗、高張力のスエーデン鋼の鋼板を山形状または谷形状に形成したことを請求項１または２に記載の廃材搬送用コンテナ。
【請求項４】
コンテナの両側板をそれぞれ上側板と下側板に分割し、その分割した上側板と下側板にコンテナの長手方向にそって外側に膨出した曲面形状を含む折曲補強部をそれぞれ設け、この上下に分割した上側板の折曲補強部と下側板の折曲補強部を一体的に接合して側板を形成したことを特徴とする請求項１ないし３のいずれかに記載の廃材搬送用コンテナ。
【請求項５】
耐摩耗、高張力のスエーデン鋼の鋼板を３〜４ｍｍ厚さのものとした請求項１ないし４のいずれかに記載の廃材搬送用コンテナ。
【発明の詳細な説明】
【技術分野】
【０００１】
本発明は、廃材処理分野における家庭ごみ、廃棄物、汚泥、残土などの廃材をコンテナに収容して、搬送するようにした廃材搬送用コンテナに関するものである。
【背景技術】
【０００２】
従来、運搬車に積み卸しして搬送できるようにした廃材搬送用コンテナは、断面がほぼＵ字状の箱型で、その後部に排出扉が取り付けられ、コンテナに廃材を収容したり、排出できるようにしている。そして、コンテナを運搬車に積卸しクレーンや油圧装置で積んだり、卸したりして、家庭ごみ、廃棄物、汚泥、残土などの廃材を廃却場に搬送して廃却できるようにしている。
【０００３】
しかし、一般の廃材用のコンテナでは、断面がほぼＵ字状の箱型となっているものの、その内面部材の両側の下方部が直角状であったり、所定の角度に屈曲して形成されている。そのため、コンテナを運搬車で傾斜したりして収容物を排出しているが、上記した両側のコーナー部に家庭ごみや廃棄物、汚泥、残土等の廃材が付着して廃材が円滑に落下しなく、または付着した廃材によってコーナー部が腐食しやすいものであった。また、廃材をコンテナに投入する場合にも、廃材がコンテナの側面や下部のコーナー部に当たって内面部材が変形したりして損傷しやすいものであった。
【０００４】
そこで、廃材搬送用コンテナとして、廃材がコーナー部に付着せずに円滑に排出でき、また廃材の投入によってできるだけ損傷を受けずに耐久化がはかれることが望まれるものであった。
そのため、出願人は、実用新案登録第３０３９４５１号公報や特開２００８−６２９５４号公報のように内面の両側面部を円滑な曲面形状としたコンテナを開発し、市場に提供し、好評を博してきた。
【先行技術文献】
【特許文献】
【０００５】
【特許文献１】実用新案登録第３０３９４５１号公報
【特許文献２】特開２００８−６２９５４号公報
【発明の開示】
【発明が解決しようとする課題】
【０００６】
しかし、コンテナは、長さが２８００〜６７００ｍｍ、幅が１６００〜２３００ｍｍ、高さが１２００〜１９００ｍｍといった大きなものなので、その両側面の下部側面部を所定径の１００〜３００ｍｍＲの曲面形状に成形するのに大出力の大掛かりなプレス成形装置を必要とし、また成形したコンテナが使用中に型崩れを生じたり、変形しやすいもので、できるだけ小出力の簡易なプレス成形装置で、型崩れや変形しにくいコンテナとするのが課題となっていた。
【０００７】
そのため、特許文献１や特許文献２のようにコンテナを耐摩耗、高張力のスエーデン鋼の鋼板を使用して、このコンテナの下部両側部のコーナー部を１００〜３００ｍｍの曲率半径をもつ曲面形状の曲面に形成するために、鋼板を１０〜２０ｍｍの間隔で金型を介して逐次押圧していって１００〜３００ｍｍの曲率半径の曲面形状に押圧した押圧折曲部を形成している。
【０００８】
しかしながら、スエーデン鋼は、薄くても耐摩耗、高張力があって、コンテナの軽量化、耐久化がはかれるものの、非常に高価格なので、コンテナの価格を低減することが課題であった。
【課題を解決するための手段】
【０００９】
本発明は、上記のような点に鑑みたもので、上記の課題を解決するために、家庭のごみ、廃棄物、汚泥、残土などの廃材をコンテナに収容して搬送する廃材搬送用コンテナであって、コンテナの底面の底板に耐摩耗、高張力のスエーデン鋼の鋼板を使用し、このコンテナの底面の底板の両側に一般構造用圧延鋼材や溶接構造用圧延鋼材を含む鋼材で１００〜３００ｍｍの曲率半径の曲面形状のコーナー部を一体的に形成した側板をそれぞれ接合してコンテナを形成したことを特徴とする廃材搬送用コンテナを提供するにある。
【００１０】
また、家庭のごみ、廃棄物、汚泥、残土などの廃材をコンテナに収容して搬送する廃材搬送用コンテナであって、コンテナの底面の底板部の両側に１００〜３００ｍｍの曲率半径の曲面形状のコーナー部を耐摩耗、高張力のスエーデン鋼の鋼板で一体的に設けたものとし、このコンテナの底面部の両側部に一般構造用圧延鋼材や溶接構造用圧延鋼材を含む鋼材で形成した側板をそれぞれ接合してコンテナを形成したことを特徴とする廃材搬送用コンテナを提供するにある。
【００１１】
さらに、コンテナの底面の底板の耐摩耗、高張力のスエーデン鋼の鋼板を山形状または谷形状に形成した廃材搬送用コンテナを提供するにある。
【００１２】
さらにまた、コンテナの両側板をそれぞれ上側板と下側板に分割し、その分割した上側板と下側板にコンテナの長手方向にそって外側に膨出した曲面形状を含む折曲補強部をそれぞれ設け、この上下に分割した上側板の折曲補強部と下側板の折曲補強部を一体的に接合して側板を形成したことを特徴とする廃材搬送用コンテナを提供するにある。
【００１３】
またさらに、耐摩耗、高張力のスエーデン鋼の鋼板を３〜４ｍｍ厚さのものとした廃材搬送用コンテナを提供するにある。
【発明の効果】
【００１４】
本発明の廃材搬送用コンテナは、特許請求の範囲の請求項１に記載のように、家庭のごみ、廃棄物、汚泥、残土などの廃材をコンテナに収容して搬送する廃材搬送用コンテナであって、コンテナの底面の底板に耐摩耗、高張力のスエーデン鋼の鋼板を使用し、このコンテナの底面の底板の両側に一般構造用圧延鋼材や溶接構造用圧延鋼材を鋼材で１００〜３００ｍｍの曲率半径の曲面形状のコーナー部を一体的に形成した側板をそれぞれ接合してコンテナを形成したことによって、コンテナの底面を耐摩耗性、高張力のスエーデン鋼として軽量化、強度化がはかれ、両側を一般構造用圧延鋼材や溶接構造用圧延鋼材を含む鋼材で形成して、価格の低減がはかれ、家庭のごみ、廃棄物、汚泥、残土などの廃材をコンテナに収容して、このコンテナを運搬車に廃材が停滞しないように排出処理できる。
【００１５】
また、本発明の廃材搬送用コンテナは、請求項２に記載のように、家庭のごみ、廃棄物、汚泥、残土などの廃材をコンテナに収容して搬送する廃材搬送用コンテナであって、コンテナの底面の底板部の両側に１００〜３００ｍｍの曲率半径の曲面形状のコーナー部を耐摩耗、高張力のスエーデン鋼の鋼板で一体的に設けたものとし、このコンテナの底面部の両側部に一般構造用圧延鋼材や溶接構造用圧延鋼材を含む鋼材で形成した側板をそれぞれ接合してコンテナを形成したことによって、コンテナの底面およびコーナー部の耐摩耗性、高張力のスエーデン鋼で軽量化、強度化がはかれ、両側を一般構造用圧延鋼材や溶接構造用圧延鋼材を含む鋼材で形成して、価格の低減がはかれ、家庭のごみ、廃棄物、汚泥、残土などの廃材をコンテナに収容して、このコンテナを運搬車に廃材が停滞しないように排出処理できる。
【００１６】
さらに、本発明の廃材搬送用コンテナは、請求項３に記載のように、コンテナの底面の底板の耐摩耗、高張力のスエーデン鋼の鋼板を山形状または谷形状に形成したことによって、上記したコンテナの耐摩耗性、高張力のスエーデン鋼の底面を補強できて、コンテナの強度の向上をはかることができる。
【００１７】
さらにまた、本発明の廃材搬送用コンテナは、請求項４に記載のように、コンテナの両側板をそれぞれ上側板と下側板に分割し、その分割した上側板と下側板にコンテナの長手方向にそって外側に膨出した曲面形状を含む折曲補強部をそれぞれ設け、この上下に分割した上側板の折曲補強部と下側板の折曲補強部を一体的に接合して側板を形成したことによって、コンテナの側面の補強がはかれ、使用中の型崩れや変形するのを防止できて耐久性よく利用できる。
【００１８】
またさらに、本発明の廃材搬送用コンテナは、請求項５に記載のように、耐摩耗、高張力のスエーデン鋼の鋼板を３〜４ｍｍ厚さのものとしたことによって、上記したように高張力のスエーデン鋼でできるだけ軽量化、強度化できて、価格の低減がはかれる。
【図面の簡単な説明】
【００１９】
【図１】本発明の一実施例の概略説明用側面図、
【図２】同上のコンテナ部分の側面図、
【図３】同上のコンテナ部分の横断面図、
【図４】同上のコンテナの拡大横断面図、
【図５】コンテナの曲面部の成形説明用断面図、
【図６】同上のコンテナのそれぞれ他の実施例の拡大横断面図（ａ）、（ｂ）、
【図７】同上のコンテナのさらに他の実施例の拡大横断面図、
【図８】同上のコンテナのそれぞれさらに他の実施例の拡大横断面図（ａ）、（ｂ）、
【図９】同上のコンテナのそれぞれさらに他の実施例の拡大横断面図（ａ）、（ｂ）、
【図１０】同上のコンテナのそれぞれさらに他の実施例の拡大横断面図（ａ）、（ｂ）、
【図１１】同上のコンテナのそれぞれさらに他の実施例の拡大横断面図（ａ）、（ｂ）。
【発明を実施するための形態】
【００２０】
本発明の廃材搬送用コンテナは、家庭のごみ、廃棄物、汚泥、残土などの廃材をコンテナに収容して搬送する廃材搬送用コンテナであって、コンテナの底面の底板に耐摩耗、高張力のスエーデン鋼の鋼板を使用し、このコンテナの底面の底板の両側に一般構造用圧延鋼材や溶接構造用圧延鋼材を含む鋼材で１００〜３００ｍｍの曲率半径の曲面形状のコーナー部を一体的に形成した側板をそれぞれ接合してコンテナを形成したことを特徴としている。
【００２１】
廃材搬送用のコンテナ１は、図１、図２のようにトラック等の運搬車２に積み卸し可能や一体的に装着して搭載するもので、家庭ごみ、廃棄物、汚泥、残土などの廃材を収容して廃却場に廃却できるようにしており、コンテナ１は図３、図４のように下部両側面部を所要の曲面形状とし、後部に開閉可能な排出扉３を設け、廃材が付着したり、停滞しないように円滑に排出できるようにしている。
【００２２】
コンテナ１は、図３、図４のように底面の底板４に耐摩耗、高張力のスエーデン鋼の鋼板を使用し、底面の底板４の両側に一般構造用圧延鋼材や熱間圧延鋼板、溶接構造用圧延鋼材、機械構造用炭素鋼材、ステンレス圧延鋼材を含む鋼材で１００〜３００ｍｍの曲率半径の曲面形状のコーナー部５を一体的に形成した側板６をそれぞれ溶接して一体的に接合している。
【００２３】
コンテナ１の底板４の鋼板としては、３〜４ｍｍ厚さ、必要により４〜６ｍｍ厚さのスエーデン鋼（スエーデンス  チール社のハルドックスやドメックスの耐摩耗鋼、高張力鋼板）、またはその相当強度の鋼板とすることが好ましく、コンテナ１をできるだけ軽量で、強度の強いものとできる。このコンテナ１の底板４は、後述するように、なだらかな山形状や谷形状等として底面をさらに補強することができる。スエーデン鋼は、一般的な鉄鋼材に比べて価格が数倍と高く、コンテナ１の底板４に使用してコストダウンがはかれるようにしている。
【００２４】
このようなコンテナ１の底面の底板４の両側部に、図３、図４のように１００〜３００ｍｍの曲率半径の曲面形状のコーナー部５を一体的に形成した一般構造用圧延鋼材や熱間圧延鋼板、溶接構造用圧延鋼材、機械構造用炭素鋼材、ステンレス圧延鋼材を含む鋼材の側板６をそれぞれ溶接して一体的に接合してコストダウンがはかれるようにしている。
【００２５】
上記側板６は、ＳＳ４１、ＳＳ５０、ＳＰＮ１、ＳＰＮ２、ＳＭ４１、ＳＭ４２、Ｓ１０Ｃ、Ｓ２０Ｃ、ＳＵＳ２１、ＳＵＳ２４などの一般構造用圧延鋼材や熱間圧延鋼板、溶接構造用圧延鋼材、機械構造用炭素鋼材、ステンレス圧延鋼材などの鋼材を利用でき、上記スエーデン鋼と同一厚さの３〜６ｍｍのものを使用して接合するとともに、スエーデン鋼に比して耐摩耗、高張力に劣るが、コーナー部５の曲面形状を成形しやく、価格が安くてコストダウンをはかれる。
【００２６】
上記コンテナ１の下部両側部のコーナー部５を１００〜３００ｍｍＲの所定の曲率半径をもつ曲面形状に形成するには、コーナー部５の曲面部の鉄鋼板に端面の排出扉３に垂直なコンテナの長手方向にそって、すなわち平行状に１０〜５０ｍｍの所定間隔で、プレス成形によって図５のように押圧していって、コーナー部５をそれぞれ折曲して曲面形状に成形するようにし、コンテナ１の両側面の曲面部をできるだけ円滑な形状に成形できて、ごみ等の付着も有効に防止できる。
【００２７】
プレス成形装置としては、たとえば下金型に２０〜６０ｍｍの所定幅の断面を曲面形状とした凹部を設け、上金型に１０〜５０ｍｍの所定幅の断面を曲面形状とした凸部を設け、所定厚、所定幅の鉄鋼板を１０〜５０ｍｍずつ繰り出して上金型を下降して所定の出力で１〜２ｍｍ程加圧して鉄鋼板を前端から後端にわたって底面から側面への９０度に折曲して所要の曲面形状に成形できる。
【００２８】
このようにすることによって、大出力のプレス成形装置を必要とせずに、比較的小出力のプレス成形装置を介して鉄鋼板を所要の曲面形状に折曲して側面部材を成形できて、コンテナ１のコーナー部５を補強できるもので、使用中の型崩れや変形するのを防止できて耐久性よく利用できる。なお、通常のようにコンテナ１のコーナー部５をプレス成形することもできる。
【００２９】
また、図１〜図４のように、コンテナ１の両側の側板６をそれぞれ上側板７と下側板８に分割し、その分割した上側板７と下側板８にコンテナ１の長手方向にそって外側に膨出した断面が円弧状の曲面形状や六角形状や八角形状の一部の角形状等の折曲補強部９、１０をそれぞれ設け、この上下に分割した上側板７の折曲補強部９と下側板８の折曲補強部１０を重ね合わせたり、突き合わせたりして溶接して一体的に接合したものとしている。
【００３０】
コンテナ１の両側部分を構造用圧延鋼材等の鋼材としているが、このように折曲補強部９、１０を重ね合わせたりして溶接して一体的に接合して補強でき、耐久性よく利用できる。また、コンテナ１は、底板６、上側板７、下側板８に分割して接合構成しているため、大きな一枚の鋼板を必要とすることなく、定寸の鋼板を２分の１等の上記寸法形状に適宜の大きさに分割できるので、経済的に成形できる。また、大きな鋼板を一体的に折曲する必要がなく、比較的小型のプレス成形装置でも成形できて、省スペース化も可能となって好ましい。
【００３１】
また、上記側板６の折曲補強手段としては、図６（ａ）のように側板６の外側部だけを湾曲状等として内側部と溶接接合して一体的に接合したり、図６（ｂ）のように上側板７と下側板８にコンテナ１の折曲補強部９、１０を外側に大きく湾曲してコンテナ１の容積を大きくすることもできる。
【００３２】
コンテナ１の両側の側板６の分割した上側板７の下部等や下側板８の上部等には、図７のようにコンテナ１の長手方向にそって外側に膨出した断面くの字状やコの字状の曲面形状の折曲補強部９、１０をそれぞれ設けて、この上下に分割した上側板７の下部の折曲補強部９と下側板８の上部の折曲補強部１０を重ね合わせたりして溶接して一体的に接合したものとすることもでき、成形しやすい手段が採用可能である。
【００３３】
また、上側板７と下側板８の折曲補強部９、１０を、図８（ａ）、（ｂ）のように２段以上の複数として溶接して一体的に接合して、コンテナ１を補強するとともに、廃材を積み込める容積を大きくすることもできる。
【００３４】
図９（ａ）、（ｂ）では、コンテナ１の底面の底板４の耐摩耗、高張力のスエーデン鋼の鋼板をなだらかな山形状や鈍角状等に形成したものである。特に、中央部分を３〜１０度位の勾配、より好ましくは５〜１０度とするのが好ましい。勾配が小さいと補強効果が少なく、大きな勾配とすると強度を向上できるが、コンテナ１の容積を減少したり、廃材が底部に蓄積しやすくなって好ましくない。なお、これらの補強部の下部に、さらに補強材１１を設けて底面の強度を向上させることもできる。
【００３５】
図１０（ａ）、（ｂ）では、コンテナ１の底面の底板４の耐摩耗、高張力のスエーデン鋼の鋼板をなだらかな谷形状や鈍角状等に形成したものである。特に、中央部分を−３〜−１０度位の勾配、より好ましくは−５〜−１０度とするのが好ましい。勾配が小さいと補強効果が少なく、大きな勾配とすると強度を向上できて、コンテナ１の容積を増加できて好ましい。また、廃材に含まれる水分を中央部に集められて、排出できて好ましい。
【００３６】
また、図１１（ａ）、（ｂ）のように、コンテナ１の底面の底板４の両側に１００〜３００ｍｍの曲率半径の曲面形状のコーナー部５を耐摩耗、高張力のスエーデン鋼の鋼板で一体的に設けた底面部とし、このコンテナ１の底面部の両側部に一般構造用圧延鋼材やや熱間圧延鋼板、溶接構造用圧延鋼材、機械構造用炭素鋼材、ステンレス圧延鋼材含む鋼材で形成した側板６をそれぞれ溶接して一体的に接合してコンテナ１を形成するようにもできる。この場合にも、コンテナ１の底面およびコーナー部５の耐摩耗性、高張力のスエーデン鋼で軽量化、強度化でき、価格の低減がはかれ、家庭のごみ、廃棄物、汚泥、残土などの廃材をコンテナに収容して、このコンテナを運搬車に廃材が停滞しないように排出処理できる。
【００３７】
上記では、コンテナ１の両側の側板６を上下に分割して接合したものについて説明したが、上下をそれぞれ一枚で一体的に形成することもでき、さらに前後方向にも適宜に分割して接合することもできるものであり、上記した本発明の趣旨にもとづいて変形態様を実施することができる。
【００３８】
このように形成したコンテナ１の外周面には、図１、図２のように上端部を折曲して補強部１２としたり、チャンネル材の補強材を上部に平行状に溶接したりして架設でき、また上記コンテナ１の底部に従来のコンテナと同じように両脚部１３を直接的に溶接したコンテナ取着部１４を配設して、運搬車２に積み卸し可能や一体的に装着して搭載するようにでき、コンテナ１の前部および後部の壁面１５は、従来のものとほぼ同様に構成し、運搬車２に違和感が生じなく、従来と同じようにして使用するようにできる。
【実施例】
【００３９】
図１〜図５は、本発明の一実施例を示すものである。廃材運搬用のコンテナ１は、１０トン用のもので、３．２ｍｍ厚さの耐摩耗鋼、高張力鋼板のスエーデン鋼板（ドメックスウエア）の底板４を所定幅のものとし、この底板４の両側に３００ｍｍの曲率半径の曲面形状のコーナー部５を逐次押圧していって一体的に形成したＳＳ４１の一般構造用圧延鋼材の側板６をそれぞれ溶接して一体的に接合している。一般構造用圧延鋼材は、上記スエーデン鋼と同一厚さの３〜４ｍｍのものを使用して接合部に段差を生じなくしている。
【００４０】
スエーデン鋼は薄くても耐摩耗、高張力を有するが、高価であり、ＳＳ４１の一般構造用圧圧延鋼材はスエーデン鋼に比して耐摩耗、高張力が劣るが、価格が安く、コーナー部５の曲面形状を成形しやすく、コンテナ１のコストダウンがはかれる。
【００４１】
また、図１〜図４のように、コンテナ１の両側の側板６を一枚の定寸の鋼材を所定の寸法で切断してそれぞれ上側板７と下側板８に分割し、その分割した上側板７の下部と下側板８の上部にコンテナ１の長手方向にそって外側に膨出した半円弧状の折曲補強部９、１０をそれぞれ設け、この上下に分割した上側板７の下部の折曲補強部９と下側板８の上部の折曲補強部１０を重ね合わせて溶接して一体的に接合し、折曲補強部９、１０によって側部を補強して、経済的に、耐久性よく利用できるようにしている。
【００４２】
したがって、コンテナ１の底面を耐摩耗性、高張力のスエーデン鋼で軽量化、強度化でき、従来の一体構造のものに比して１／３〜１／２もの軽量化や価格低下がはかれ、側部を安価な一般構造用圧延鋼材を使用し、分割構成するとともに、折曲補強部９、１０によって側部を補強して、価格の低減がはかれて強度を高められ、家庭のごみ、廃棄物、汚泥、残土などの廃材をコンテナ１に収容して、このコンテナ１を運搬車に廃材が停滞しないように排出処理できる。
【００４３】
図６（ａ）は本発明の他の実施例で、上記側板６の折曲補強手段として、図のように側板６の外側部だけを湾曲状等として内側部と溶接接合して一体的に接合したものである。また、図６（ｂ）は本発明のさらに他の実施例で、図のように上側板７と下側板８にコンテナ１の折曲補強部９、１０を外側に大きく湾曲してコンテナ１の容積を大きくするようにしたものである。
【００４４】
図７は、本発明のさらに他の実施例で、コンテナ１の両側の側板６の分割した上側板７の下部と下側板８の上部に、図のようにコンテナ１の長手方向にそって外側に膨出した断面くの字状の曲面形状の折曲補強部９、１０をそれぞれ設けて、この上下に分割した上側板７の下部の折曲補強部９と下側板８の上部の折曲補強部１０を重ね合わせて溶接して一体的に接合したものである。このように補強するなど、成形しやすい手段が採用して価格の低減をはかり、強度を高めることができる。
【００４５】
図８（ａ）、（ｂ）は、本発明のそれぞれさらに他の実施例で、上記した上側板７と下側板８の折曲補強部９、１０をやや大きな２段状の複数として溶接して一体的に接合して、コンテナ１を補強するとともに、容積を大きくしたものである。
【００４６】
図９（ａ）、（ｂ）は、本発明のそれぞれさらに他の実施例で、コンテナ１の底面の底板４の耐摩耗、高張力のスエーデン鋼の鋼板を１０度位の勾配のなだらかな山形状や鈍角の山形状に形成し、底面の強度を向上させたものである。なお、この補強部の下部に、さらに補強材１１を設けることが好ましい。
【００４７】
図１０（ａ）、（ｂ）は、本発明のそれぞれさらに他の実施例で、コンテナ１の底面の底板４の耐摩耗、高張力のスエーデン鋼の鋼板を−１０度位の勾配のなだらかな谷形状や鈍角の谷形状に形成したものである。特に、中央部分を凹ませることによって、コンテナ１の容積を増加でき、廃材に含まれる水分を中央部に集められて、排出できて好ましい。
【００４８】
図１１（ａ）、（ｂ）は、本発明のそれぞれさらに他の実施例で、コンテナ１１の底面の底板６の両側に３００ｍｍの曲率半径の曲面形状のコーナー部５を耐摩耗、高張力のスエーデン鋼の鋼板で一体的に設けた底面部とし、このコンテナ１の底面部の両側部にＳＳ４１の一般構造用圧延鋼材で形成した側板６をそれぞれ溶接して一体的に接合したものである。
この場合でも、コンテナ１の底面を耐摩耗性、高張力のスエーデン鋼で軽量化、強度化でき、従来の一体構造のものに比して１／２〜２／３もの軽量化や価格低下がはかれ、側部を安価な一般構造用圧延鋼材を使用し、折曲補強部９、１０によって側部を補強して、価格の低減がはかれて強度を高められ、家庭のごみ、廃棄物、汚泥、残土などの廃材をコンテナ１に収容して、このコンテナ１を運搬車に廃材が停滞しないように排出処理できる。
【００４９】
上記では、コンテナ１の両側の側板６を上下に分割して接合した実施例について説明したが、上下をそれぞれ一枚の鋼材で一体的に形成したり、さらに前後方向にも適宜に分割して接合することもできるものである。
【００５０】
以上いろいろな実施例について説明したが、上記した両開きの排出扉やスイング式、ダンプカー式、トラック型などの２トン用、４トン用、１０トン等の着脱式、固定式のコンテナ、両側に脚を設けるとともにキャリアを設けたスタンド式コンテナ、その他についてそれぞれ適用可能であり、本発明の趣旨にもとづいて適宜に変形態様を実施することができる。
【産業上の利用可能性】
【００５１】
本発明は、廃材処理分野における家庭ごみ、廃棄物、汚泥、残土などの廃材をコンテナに収容して、搬送する廃材搬送用コンテナに利用できるものである。
【符号の説明】
【００５２】
１…コンテナ    ２…運搬車    ３…排出扉    ４…底板    ５…コーナー部  
６…側板        ７…上側板    ８…下側板    ９…折曲補強部  １０…折曲補強部
【図１】
2014043314.tif 000003
【図２】
2014043314.tif 000004
【図３】
2014043314.tif 000005
【図４】
2014043314.tif 000006
【図５】
2014043314.tif 000007
【図６】
2014043314.tif 000008
【図７】
2014043314.tif 000009
【図８】
2014043314.tif 000010
【図９】
2014043314.tif 000011
【図１０】
2014043314.tif 000012
【図１１】
2014043314.tif 000013